(57)【要約】【課題】テンプレートデザイン属性情報と部品デザイン属性情報を利用してデザインの編集を可能にする。【解決手段】編集情報記憶部１２には、全体のデザインを変更するためのテンプレート用マップと、個々のデザイン部品のデザインを変更するための部品用マップと、が記憶されている。テンプレート用マップにおいては、テンプレートのデザイン属性を示すデザイン属性情報が、マッピング条件（デザイン指標）に従ってマッピングされている。部品用マップにおいては、デザイン部品のデザイン属性を示すデザイン属性情報が、そのマッピング条件と同じ条件に従ってマッピングされている。制御部２４は、テンプレート用マップ上で指定されたデザイン属性情報に基づいて、テンプレートの全体のデザインを変更し、部品用マップ上で指定されたデザイン属性情報に基づいて、デザイン部品のデザインを変更する。【選択図】図１
2015169958.tif 000002
【特許請求の範囲】
【請求項１】
複数のデザイン部品によって構成されたデザインに関するテンプレートを表示手段に表示させ、前記テンプレートの複数のデザイン属性を示す複数のテンプレートデザイン属性情報が予め設定されたマッピング条件に従ってマッピングされたテンプレート用マップを表示手段に表示させるテンプレート表示制御手段と、
前記デザイン部品ごとの部品用マップであって、前記デザイン部品の複数のデザイン属性を示す複数の部品デザイン属性情報が前記マッピング条件と同一条件に従ってマッピングされた部品用マップを表示手段に表示させる部品表示制御手段と、
表示手段に表示された前記テンプレート用マップ上で指定されたテンプレートデザイン属性情報に基づいて、前記テンプレートの全体のデザインを変更し、表示手段に表示された前記部品用マップ上で指定された部品デザイン属性情報に基づいて、前記デザイン部品のデザインを変更する編集手段と、
を有するデザイン編集装置。
【請求項２】
前記複数のテンプレートデザイン属性情報及び前記複数の部品デザイン属性情報は、同一のデザイン指標に従って、前記テンプレート用マップ及び前記部品用マップのそれぞれにおいてマッピングされている、
ことを特徴とする請求項１に記載のデザイン編集装置。
【請求項３】
前記部品表示制御手段は、前記テンプレート上で指定された前記デザイン部品に対応する前記部品用マップを表示手段に表示させ、
前記編集手段は、表示手段に表示された前記部品用マップ上で指定された前記部品デザイン属性情報に基づいて、前記指定された前記デザイン部品のデザインを変更する、
ことを特徴とする請求項１又は請求項２に記載のデザイン編集装置。
【請求項４】
前記テンプレートにおける個々の前記デザイン部品の位置と、個々の前記デザイン部品に対応する前記部品用マップと、が対応付けられており、
前記部品表示制御手段は、前記テンプレート上で指定された位置に対応する前記部品用マップを表示手段に表示させる、
ことを特徴とする請求項３に記載のデザイン編集装置。
【請求項５】
前記編集手段は、前記テンプレート用マップ上で指定された位置の周辺のテンプレートデザイン属性情報に基づいて、前記指定された位置に対応するテンプレートデザイン属性情報を演算し、前記部品用マップ上で指定された位置の周辺の部品デザイン属性情報に基づいて、前記指定された位置に対応する部品デザイン属性情報を演算する、
ことを特徴とする請求項１から請求項４のいずれか一項に記載のデザイン編集装置。
【請求項６】
コンピュータを、
複数のデザイン部品によって構成されたデザインに関するテンプレートを表示手段に表示させ、前記テンプレートの複数のデザイン属性を示す複数のテンプレートデザイン属性情報が予め設定されたマッピング条件に従ってマッピングされたテンプレート用マップを表示手段に表示させるテンプレート表示制御手段と、
前記デザイン部品ごとの部品用マップであって、前記デザイン部品の複数のデザイン属性を示す複数の部品デザイン属性情報が前記マッピング条件と同一条件に従ってマッピングされた部品用マップを表示手段に表示させる部品表示制御手段と、
表示手段に表示された前記テンプレート用マップ上で指定されたテンプレートデザイン属性情報に基づいて、前記テンプレートの全体のデザインを変更し、表示手段に表示された前記部品用マップ上で指定された部品デザイン属性情報に基づいて、前記デザイン部品のデザインを変更する編集手段と、
して機能させるプログラム。
【発明の詳細な説明】
【技術分野】
【０００１】
本発明は、デザイン編集装置及びプログラムに関する。
【背景技術】
【０００２】
チラシ、広告、ダイレクトメール（ＤＭ）、ポスター、カタログ、はがき等についてのデザインを作成するための技術が知られている。
【０００３】
例えば特許文献１には、ユーザが指定した基本デザインを基にして派生デザインを生成して表示する装置が開示されている。
【先行技術文献】
【特許文献】
【０００４】
【特許文献１】特開２００９−１４４６１６号公報
【発明の概要】
【発明が解決しようとする課題】
【０００５】
ところで、一般的に、手の込んだデザイン（例えば、繊細なデザイン、複雑なデザイン、詳細が豊かなデザイン等）を作成するためには、プロのデザイナーが使用するような高度のアプリケーションソフトウェアが必要となってくる。しかし、デザインの専門知識が乏しい一般ユーザが、そのような高度のアプリケーションソフトウェアを使いこなして目的のデザインを作成することは困難である。これに対して、デザインが異なる複数のテンプレートを用意しておき、ユーザがテンプレートを選択することによりデザインを作成することが考えられる。しかしながら、目的のデザインに適合するテンプレートが存在しなかったり、ユーザがテンプレートを直感的に選択することが困難であったりして、目的のデザインの作成が容易ではない問題が生じ得る。
【０００６】
本発明の目的は、テンプレートデザイン属性情報と部品デザイン属性情報を利用してデザインの編集を可能にすることである。
【課題を解決するための手段】
【０００７】
請求項１に係る発明は、複数のデザイン部品によって構成されたデザインに関するテンプレートを表示手段に表示させ、前記テンプレートの複数のデザイン属性を示す複数のテンプレートデザイン属性情報が予め設定されたマッピング条件に従ってマッピングされたテンプレート用マップを表示手段に表示させるテンプレート表示制御手段と、前記デザイン部品ごとの部品用マップであって、前記デザイン部品の複数のデザイン属性を示す複数の部品デザイン属性情報が前記マッピング条件と同一条件に従ってマッピングされた部品用マップを表示手段に表示させる部品表示制御手段と、前記表示手段に表示された前記テンプレート用マップ上で指定されたテンプレートデザイン属性情報に基づいて、前記テンプレートの全体のデザインを変更し、表示手段に表示された前記部品用マップ上で指定された部品デザイン属性情報に基づいて、前記デザイン部品のデザインを変更する編集手段と、を有するデザイン編集装置である。
【０００８】
請求項２に係る発明は、前記複数のテンプレートデザイン属性情報及び前記複数の部品デザイン属性情報は、同一のデザイン指標に従って、前記テンプレート用マップ及び前記部品用マップのそれぞれにおいてマッピングされている、ことを特徴とする請求項１に記載のデザイン編集装置である。
【０００９】
請求項３に係る発明は、前記部品表示制御手段は、前記テンプレート上で指定された前記デザイン部品に対応する前記部品用マップを表示手段に表示させ、前記編集手段は、表示手段に表示された前記部品用マップ上で指定された前記部品デザイン属性情報に基づいて、前記指定された前記デザイン部品のデザインを変更する、ことを特徴とする請求項１又は請求項２に記載のデザイン編集装置である。
【００１０】
請求項４に係る発明は、前記テンプレートにおける個々の前記デザイン部品の位置と、個々の前記デザイン部品に対応する前記部品用マップと、が対応付けられており、前記部品表示制御手段は、前記テンプレート上で指定された位置に対応する前記部品用マップを表示手段に表示させる、ことを特徴とする請求項３に記載のデザイン編集装置である。
【００１１】
請求項５に係る発明は、前記編集手段は、前記テンプレート用マップ上で指定された位置の周辺のテンプレートデザイン属性情報に基づいて、前記指定された位置に対応するテンプレートデザイン属性情報を演算し、前記部品用マップ上で指定された位置の周辺の部品デザイン属性情報に基づいて、前記指定された位置に対応する部品デザイン属性情報を演算する、ことを特徴とする請求項１から請求項４のいずれか一項に記載のデザイン編集装置である。
【００１２】
請求項６に係る発明は、コンピュータを、複数のデザイン部品によって構成されたデザインに関するテンプレートを表示手段に表示させ、前記テンプレートの複数のデザイン属性を示す複数のテンプレートデザイン属性情報が予め設定されたマッピング条件に従ってマッピングされたテンプレート用マップを表示手段に表示させるテンプレート表示制御手段と、前記デザイン部品ごとの部品用マップであって、前記デザイン部品の複数のデザイン属性を示す複数の部品デザイン属性情報が前記マッピング条件と同一条件に従ってマッピングされた部品用マップを表示手段に表示させる部品表示制御手段と、表示手段に表示された前記テンプレート用マップ上で指定されたテンプレートデザイン属性情報に基づいて、前記テンプレートの全体のデザインを変更し、表示手段に表示された前記部品用マップ上で指定された部品デザイン属性情報に基づいて、前記デザイン部品のデザインを変更する編集手段と、して機能させるプログラムである。
【発明の効果】
【００１３】
請求項１，６に係る発明によると、テンプレートデザイン属性情報と部品デザイン属性情報を利用することにより、デザインの編集が可能となる。
【００１４】
請求項２に係る発明によると、同一のデザイン指標に従わずにマッピングする場合と比べて、テンプレートの全体及び部分についてのデザインの傾向の把握が容易となる。
【００１５】
請求項３に係る発明によると、本発明の構成を有していない場合と比べて、デザイン部品のデザインの変更が容易となる。
【００１６】
請求項４に係る発明によると、デザイン部品に対応する部品用マップの表示が可能となる。
【００１７】
請求項５に係る発明によると、指定された位置に対応するテンプレートデザイン属性情報や部品デザイン属性情報が存在しない場合であっても、デザインの変更が可能となる。
【図面の簡単な説明】
【００１８】
【図１】本発明の実施形態に係るデザイン編集装置を示すブロック図である。
【図２】テンプレートの構成を示す模式図である。
【図３】テンプレート用デザイン属性マップを示す模式図である。
【図４】表題文字用デザイン属性マップを示す模式図である。
【図５】本文文字用デザイン属性マップを示す模式図である。
【図６】画像用デザイン属性マップを示す模式図である。
【図７】図形用デザイン属性マップを示す模式図である。
【図８】図形用デザイン属性マップを示す模式図である。
【図９】本実施形態に係るデザイン編集装置の動作を示すフローチャートである。
【図１０】複数のテンプレートが表示された画面の図である。
【図１１】テンプレートのデザイン属性を選択するための画面の図である。
【図１２】テンプレートのデザイン属性を選択するための画面の図である。
【図１３】デザイン部品のデザイン属性を選択するための画面の図である。
【図１４】作成されたデザインを示す模式図である。
【図１５】変形例に係るシステムを示すブロック図である。
【発明を実施するための形態】
【００１９】
図１に、本発明の実施形態に係るデザイン編集装置の一例を示す。デザイン編集装置１０は、デザインのテンプレート（テンプレートデータ）を記憶しており、ユーザの指示に応じてデザイン（デザインデータ）を作成する機能を備えている。以下、デザイン編集装置１０の各部について説明する。
【００２０】
編集情報記憶部１２には、デザインを作成するための編集情報が記憶されている。具体的には、編集情報記憶部１２は、テンプレート記憶部１４、テンプレート用マップ記憶部１６、文字用マップ記憶部１８、画像用マップ記憶部２０及び図形用マップ記憶部２２を含む。
【００２１】
テンプレート記憶部１４には、デザインが異なる複数種類のテンプレート（テンプレートデータ）が予め記憶されている。テンプレートは、例えば、チラシ、広告、ダイレクトメール（ＤＭ）、ポスター、カタログ、はがき等についてのデザインの雛型のデータである。例えば、個々のテンプレートには、テンプレートを識別するための識別情報（例えばテンプレートＩＤ等）が予め対応付けられており、その識別情報によってテンプレートが管理されている。
【００２２】
テンプレートは、１又は複数のデザイン部品（デザイン部品データ）（オブジェクト）によって構成されている。デザイン部品としては、例えば、表題（タイトル）の文字部品、本文の文字部品、画像部品、図形部品等がある。画像部品は、例えば、ビットマップ形式の画像データである。図形部品は、例えば、ベクター形式で表される図形データである。
【００２３】
テンプレート用マップ記憶部１６には、テンプレート用のデザイン属性マップ（デザイン属性マップデータ）が予め記憶されている。テンプレート用マップ記憶部１６には、個々のテンプレートごとのデザイン属性マップが記憶されている。以下、テンプレート用のデザイン属性マップを、「テンプレート用マップ」と称することとする。例えば、テンプレート用マップとテンプレートＩＤとが対応付けられてテンプレート用マップ記憶部１６に記憶されている。
【００２４】
テンプレート用マップは、テンプレートについての複数のデザイン属性を示す複数のテンプレートデザイン属性情報が、予め設定されたマッピング条件（デザイン指標）に従ってマッピング（図示化）されたものである。テンプレートのデザイン属性は、テンプレートのデザインのバリエーションであり、デザインのテイスト又はデザインの傾向とも称される。従って、テンプレート用マップは、テンプレートについてのデザインのバリエーションを示すものである。
【００２５】
テンプレート用マップは、例えばｎ次元（ｎは整数）の軸で規定されるｎ次元マップで表現される。一例として、テンプレート用マップは、２次元の軸で規定される２次元マップで表現される。そのテンプレート用マップ上の各位置（各座標）にはテンプレートデザイン属性情報が予め対応付けられており、テンプレート用マップ上の各位置にテンプレートデザイン属性情報が配置されている。このように、テンプレート用マップ記憶部１６は、テンプレート用マップ上の位置を示す位置情報とテンプレートデザイン属性情報とを対応付けて記憶している。そして、テンプレート用マップ上の位置が指定されると、その指定された位置に対応するテンプレートデザイン属性情報が選択されて出力されるようになっている。
【００２６】
文字用マップ記憶部１８には、デザイン部品である文字部品用のデザイン属性マップ（デザイン属性マップデータ）が予め記憶されている。一例として、文字用マップ記憶部１８には、表題の文字部品用のデザイン属性マップと、本文の文字部品用のデザイン属性マップと、が予め記憶されている。以下、表題の文字部品用のデザイン属性マップを「表題文字用マップ」と称し、本文の文字部品用のデザイン属性マップを「本文文字用マップ」と称することとする。
【００２７】
表題文字用マップには、テンプレート上における表題の文字部品の位置（座標）を示す表題文字部品位置情報が予め対応付けられている。同様に、本文文字用マップには、テンプレート上における本文の文字部品の位置（座標）を示す本文文字部品位置情報が予め対応付けられている。そして、テンプレートにおいて表題の文字部品の位置が指定されると、その指定された位置に対応する表題文字用マップが選択されて出力されるようになっている。同様に、テンプレートにおいて本文の文字部品の位置が指定されると、その指定された位置に対応する本文文字用マップが選択されて出力されるようになっている。
【００２８】
表題文字用マップは、表題文字部品についての複数のデザイン属性を示す複数の表題文字デザイン属性情報が、上記のマッピング条件（デザイン指標）と同一の条件に従ってマッピングされたものである。また、本文文字用マップは、本文文字部品についての複数のデザイン属性を示す複数の本文文字デザイン属性情報が、上記のマッピング条件（デザイン指標）と同一の条件に従ってマッピングされたものである。表題文字部品及び本文文字部品のデザイン属性は、例えば、文字のフォントの種類である。従って、表題文字用マップは、表題文字部品のフォントの種類を示すものである。また、本文文字用マップは、本文文字部品のフォントの種類を示すものである。
【００２９】
例えば、表題文字用マップ及び本文文字用マップも、テンプレート用マップと同様に、ｎ次元マップで表現される。一例として、表題文字用マップ及び本文文字用マップは、２次元マップで表現される。そして、表題文字用マップ上の各位置（座標）には表題文字デザイン属性情報が予め対応付けられており、表題文字用マップ上の各位置に表題文字デザイン属性情報が配置されている。同様に、本文文字用マップ上の各位置には本文文字デザイン属性情報が予め対応付けられており、本文文字用マップ上の各位置に本文文字デザイン属性情報が配置されている。このように、文字用マップ記憶部１８は、表題文字用マップ上の位置を示す位置情報と表題文字デザイン属性情報とを対応付けて記憶し、本文文字用マップ上の位置を示す位置情報と本文文字デザイン属性情報とを対応付けて記憶している。そして、表題文字用マップ上の位置が指定されると、その指定された位置に対応する表題文字デザイン属性情報が選択されて出力されるようになっている。同様に、本文文字用マップ上の位置が指定されると、その指定された位置に対応する本文文字デザイン属性情報が選択されて出力されるようになっている。
【００３０】
画像用マップ記憶部２０には、デザイン部品である画像部品用のデザイン属性マップ（デザイン属性マップデータ）が予め記憶されている。以下、画像部品用のデザイン属性マップを「画像用マップ」と称することとする。画像用マップは、個々のテンプレートごとに予め用意されている。すなわち、複数のテンプレート用の複数の画像用マップが、画像用マップ記憶部２０に予め記憶されている。例えば、画像用マップとテンプレートＩＤとが対応付けられて画像用マップ記憶部２０に記憶されている。
【００３１】
各画像用マップには、対応するテンプレート上における画像部品の位置（座標）を示す画像部品位置情報が予め対応付けられている。そして、テンプレートにおいて画像部品の位置が指定されると、その指定された位置に対応する画像用マップが選択されて出力されるようになっている。
【００３２】
画像用マップは、ビットマップデータ等の画像部品についての複数のデザイン属性を示す複数の画像デザイン属性情報が、上記のマッピング条件と同一の条件に従ってマッピングされたものである。画像部品のデザイン属性は、例えば画像のバリエーションである。従って、画像用マップは、画像部品のバリエーションを示すものである。
【００３３】
例えば、画像用マップも、テンプレート用マップと同様に、ｎ次元マップで表現される。一例として、画像用マップは２次元マップで表現される。そして、画像用マップ上の各位置（座標）には画像デザイン属性情報が予め対応付けられており、画像用マップ上の各位置に画像デザイン属性情報が配置されている。このように、画像用マップ記憶部２０は、画像用マップ上の位置を示す位置情報と画像デザイン属性情報とを対応付けて記憶している。そして、画像用マップ上の位置が指定されると、その指定された位置に対応する画像デザイン属性情報が選択されて出力されるようになっている。
【００３４】
図形用マップ記憶部２２には、デザイン部品である図形部品用のデザイン属性マップ（デザイン属性マップデータ）が予め記憶されている。一例として、図形用マッピング記憶部２２には、図形の色（図形内を塗り潰す色）用のデザイン属性マップと、図形の影（図形の透過度）用のデザイン属性マップと、が予め記憶されている。以下、図形の色用のデザイン属性マップを「図形色用マップ」と称し、図形の影用のデザイン属性マップを「図形影用マップ」と称することとする。
【００３５】
図形色用マップ及び図形影用マップには、テンプレート上における図形部品の位置（座標）を示す図形部品位置情報が予め対応付けられている。そして、テンプレートにおいて図形部品の位置が指定されると、その指定された位置に対応する図形色用マップ及び図形影用マップが選択されて出力されるようになっている。
【００３６】
図形色用マップは、ベクター形式等で表現される図形部品の複数の色（デザイン属性）を示す複数の図形色デザイン属性情報が、上記のマッピング条件と同一の条件に従ってマッピングされたものである。従って、図形色用マップは、図形部品の色の種類を示すものである。また、図形影用マップは、図形の複数の透過度（デザイン属性）を示す複数の図形影デザイン属性情報が、上記のマッピング条件と同一の条件に従ってマッピングされたものである。従って、図形影用マップは、図形部品についての複数の透過度を示すものである。
【００３７】
例えば、図形色用マップ及び図形影用マップも、テンプレート用マップと同様に、ｎ次元マップで表現される。一例として、図形色用マップ及び図形影用マップは、２次元マップで表現される。そして、図形色用マップ上の各位置（座標）には図形色デザイン属性情報が予め対応付けられており、図形色用マップ上の各位置に図形色デザイン属性情報が配置されている。同様に、図形影用マップ上の各位置には図形影デザイン属性情報が予め対応付けられており、図形影用マップ上の各位置に図形影デザイン属性情報が配置されている。このように、図形用マップ記憶部２２は、図形色用マップ上の位置を示す位置情報と図形色デザイン属性情報とを対応付けて記憶し、図形影用マップ上の位置を示す位置情報と図形影デザイン属性情報とを対応付けて記憶している。そして、図形色用マップ上の位置が指定されると、その指定された位置に対応する図形色デザイン属性情報が選択されて出力されるようになっている。同様に、図形影用マップ上の位置が指定されると、その指定された位置に対応する図形影デザイン属性情報が選択されて出力されるようになっている。
【００３８】
上述した表題文字用マップ、本文文字用マップ、画像用マップ、図形色用マップ及び図形影用マップが、デザイン部品用のデザイン属性マップの一例に相当する。
【００３９】
制御部２４は、デザイン編集装置１０の各部を制御する。本実施形態では、制御部２４は、デザイン編集モードを実行する。デザイン編集モード実行時には、制御部２４は、テンプレート記憶部１４に記憶されている複数種類のテンプレートをディスプレイ等の表示部２６に表示させる。複数種類のテンプレートの中からユーザによって特定のテンプレートが指定されると、制御部２４は、指定されたテンプレートを表示部２６に表示させる。また、制御部２４は、指定されたテンプレートについてのテンプレート用マップをテンプレート用マップ記憶部１６から取得して表示部２６に表示させる。テンプレート用マップ上の位置がユーザによって指定されると、制御部２４は、その指定された位置に対応するテンプレートデザイン属性情報を用いて、テンプレートのデザインを変更する。また、テンプレート上において特定のデザイン部品が指定されると、制御部２４は、その指定された位置に対応するデザイン部品用のデザイン属性マップを表示部２６に表示させる。そして、デザイン部品用のデザイン属性マップ上の位置がユーザによって指定されると、制御部２４は、その指定された位置に対応するデザイン属性情報を用いて、指定されたデザイン部品のデザインを変更する。なお、制御部２４が、「テンプレート表示制御手段」、「部品表示制御手段」及び「編集手段」の一例に相当する。
【００４０】
制御部２４には操作部２８が接続されている。操作部２８はキーボードやマウスやタッチパネル等を有する。例えば、ユーザが操作部２８を使用することにより、テンプレートの選択、編集対象のデザイン部品の指定、及び、デザイン属性マップ上の位置の指定（デザイン属性の指定）が行われる。
【００４１】
上述したデザイン編集装置１０は、一例としてハードウェア資源とソフトウェアとの協働により実現される。具体的には、デザイン編集装置１０は、図示しないＣＰＵ等のプロセッサを備えている。当該プロセッサが、図示しない記憶装置に記憶されたプログラムを読み出して実行することにより、制御部２４の機能が実現される。上記プログラムは、ＣＤやＤＶＤ等の記憶媒体を経由して、又は、ネットワーク等の通信経路を経由して、記憶装置に記憶される。
【００４２】
図２に、テンプレートの構成の一例を示す。テンプレート１００は、例えば、表題の文字部品１０２、本文の文字部品１０４、ビットマップデータ等の画像部品１０６、及び、ベクター形式等の図形部品１０８によって構成されている。また、テンプレート１００には、編集対象外の画像部品１１０等が含まれていてもよい。この画像部品１１０は、例えば地図等であり、デザインの変更が許可されないものである。
【００４３】
図３に、テンプレート用マップの一例を示す。テンプレート用マップ１２０は、一例として、２次元の軸で規定される２次元マップである。テンプレートのデザイン属性（テイスト）は、第１のデザイン指標軸（横軸１２２）と第２のデザイン指標軸（縦軸１２４）とによって規定される。例えば、横軸１２２が、デザイン属性の指標「ウォーム（Ｗａｒｍ）」及び「クール（Ｃｏｏｌ）」を規定するデザイン指標軸であり、縦軸１２４が、デザイン属性の指標「ハード（Ｈａｒｄ）」及び「ソフト（Ｓｏｆｔ）」を規定するデザイン指標軸である。このように横軸１２２及び縦軸１２４によって規定された各領域に、テンプレートのデザイン属性が対応付けられている。つまり、２次元のテンプレート用マップ１２０上の各位置（各座標）にテンプレートデザイン属性情報が予め対応付けられており、テンプレート用マップ１２０上の各位置にテンプレートデザイン属性情報が配置されている。例えば、横軸１２２において右側の位置ほど、テンプレートのデザイン属性において「クール（Ｃｏｏｌ）」の指標値が大きくなっている。従って、テンプレート用マップ１２０において右側の位置ほど、「クール（Ｃｏｏｌ）」感が強く感じられるデザイン属性を示すテンプレートデザイン属性情報が対応付けられている。一方、横軸１２２において左側の位置ほど、テンプレートのデザイン属性において「ウォーム（Ｗａｒｍ）」の指標値が大きくなっている。従って、テンプレート用マップ１２０において左側の位置ほど、「ウォーム（Ｗａｒｍ）」感が強く感じられるデザイン属性を示すテンプレートデザイン属性情報が対応付けられている。また、縦軸１２４において上側の位置ほど、テンプレートのデザイン属性において「ソフト（Ｓｏｆｔ）」の指標値が大きくなっている。従って、テンプレート用マップ１２０において上側の位置ほど、「ソフト（Ｓｏｆｔ）」感が強く感じられるデザイン属性を示すテンプレートデザイン属性情報が対応付けられている。一方、縦軸１２４において下側の位置ほど、テンプレートのデザイン属性において「ハード（Ｈａｒｄ）」の指標値が大きくなっている。従って、テンプレート用マップ１２０において下側の位置ほど、「ハード（Ｈａｒｄ）」感が強く感じられるデザイン属性を示すテンプレートデザイン属性情報が対応付けられている。
【００４４】
ここで、テンプレートのデザイン属性（テイスト）について説明する。図３に示す例では、指標「ソフト（Ｓｏｆｔ）」及び指標「クール（Ｃｏｏｌ）」によって規定されるテンプレートのデザイン属性が、デザイン属性「クリア／フレッシュ」である。指標「ハード（Ｈａｒｄ）」及び指標「クール（Ｃｏｏｌ）」によって規定されるテンプレートのデザイン属性が、デザイン属性「マイルド／ナチュラル」である。指標「ハード（Ｈａｒｄ）」及び指標「ウォーム（Ｗａｒｍ）」によって規定されるテンプレートのデザイン属性が、デザイン属性「フォーマル／クラシック」である。指標「ソフト（Ｓｏｆｔ）」及び指標「ウォーム（Ｗａｒｍ）」によって規定されるテンプレートのデザイン属性が、デザイン属性「ポップ／カジュアル」である。図３に示すデザイン属性は一例であり、他の指標によってデザイン属性が区分けされてもよい。
【００４５】
テンプレートのデザイン属性は、例えばテンプレートのバリエーションであり、テンプレートデザイン属性情報は、テンプレートのバリエーションを示す情報である。図３に示す例では、あるテンプレートのデザイン属性（バリエーション）として、バリエーション１００Ａ〜１００Ｄが予め作成されて用意されている。バリエーション１００Ａ〜１００Ｄは、横軸１２２及び縦軸１２４によって規定される指標に従い、デザイン属性に基づいて予め分類されている。バリエーション１００Ａ〜１００Ｄは、同じ種類のテンプレートに属するが、互いにデザインが異なっている。
【００４６】
例えば、バリエーション１００Ａは、デザイン属性「クリア／フレッシュ」に属するバリエーションである。従って、バリエーション１００Ａを示すテンプレートデザイン属性情報は、テンプレート用マップ１２０上において、指標「ソフト（Ｓｏｆｔ）」及び指標「クール（Ｃｏｏｌ）」によって規定される領域（「クリア／フレッシュ」の領域）の位置に予め対応付けられている。
【００４７】
また、バリエーション１００Ｂは、デザイン属性「マイルド／ナチュラル」に属するバリエーションである。バリエーション１００Ｂを示すテンプレートデザイン属性情報は、テンプレート用マップ１２０上において、指標「ハード（Ｈａｒｄ）」及び指標「クール（Ｃｏｏｌ）」によって規定される領域（「マイルド／ナチュラル」の領域）の位置に予め対応付けられている。
【００４８】
また、バリエーション１００Ｃは、デザイン属性「フォーマル／クラシック」に属するバリエーションである。バリエーション１００Ｃを示すテンプレートデザイン属性情報は、テンプレート用マップ１２０上において、指標「ハード（Ｈａｒｄ）」及び指標「ウォーム（Ｗａｒｍ）」によって規定される領域（「フォーマル／クラシック」の領域）の位置に予め対応付けられている。
【００４９】
また、バリエーション１００Ｄは、デザイン属性「ポップ／カジュアル」に属するバリエーションである。バリエーション１００Ｄを示すテンプレートデザイン属性情報は、テンプレート用マップ１２０上において、指標「ソフト（Ｓｏｆｔ）」及び指標「ウォーム（Ｗａｒｍ）」によって規定される領域（「ポップ／カジュアル」の領域）の位置に予め対応付けられている。
【００５０】
テンプレート用マップ記憶部１６には、テンプレート用マップ１２０上の各位置を示す各位置情報と、バリエーション１００Ａ〜１００Ｄを示す各テンプレートデザイン属性情報とが対応付けられて記憶されている。
【００５１】
そして、テンプレート用マップ１２０上の位置が指定されると、制御部２４は、指定された位置に対応するテンプレートデザイン属性情報をテンプレート用マップ記憶部１６から取得し、そのテンプレートデザイン属性情報を用いてテンプレート１００の全体のデザインを変更する。例えば、デザイン属性「クリア／フレッシュ」の領域が指定されると、制御部２４は、指定された位置に対応するバリエーション１００Ａを示すテンプレートデザイン属性情報をテンプレート用マップ記憶部１６から取得する。そして、制御部２４は、テンプレート１００の全体のデザインをバリエーション１００Ａに変更する。なお、図３に示すバリエーション１００Ａ〜１００Ｄは一例であり、他のバリエーションが予め作成されてテンプレート用マップ１２０上の位置に対応付けられていてもよい。
【００５２】
図３に示すテンプレート用マップ１２０は、テンプレート用マップ記憶部１６に予め記憶されている。個々のテンプレートごとにテンプレート用マップ１２０と同様のマップが予め用意されており、テンプレート用マップ記憶部１６に予め記憶されている。
【００５３】
図４に、表題文字用マップの一例を示す。表題文字用マップ１３０は、一例として、２次元の軸で規定される２次元マップである。この軸は、図３に示すテンプレート用マップ１２０のデザイン指標軸と同じデザイン指標軸である。つまり、表題文字部品のデザイン属性（テイスト）は、テンプレート用マップ１２０と同様に、第１のデザイン指標軸（横軸１３２）と第２のデザイン指標軸（縦軸１３４）とによって規定されている。そして、テンプレート用マップ１２０と同様に、横軸１３２が、デザイン属性の指標「ウォーム（Ｗａｒｍ）」及び「クール（Ｃｏｏｌ）」を規定するデザイン指標軸であり、縦軸１３４が、デザイン属性の指標「ハード（Ｈａｒｄ）」及び「ソフト（Ｓｏｆｔ）」を規定するデザイン指標軸である。このように横軸１３２及び縦軸１３４によって規定された各領域に、表題文字部品のデザイン属性が対応付けられている。つまり、２次元の表題文字用マップ１３０の各位置（各座標）に表題文字デザイン属性情報が予め対応付けられており、表題文字用マップ１３０上の各位置に表題文字デザイン属性情報が配置されている。例えば、横軸１３２において右側の位置ほど、表題文字部品のデザイン属性において「クール（Ｃｏｏｌ）」の指標値が大きくなっている。従って、表題文字用マップ１３０において右側の位置ほど、「クール（Ｃｏｏｌ）」感が強く感じられるデザイン属性を示す表題文字デザイン属性情報が対応付けられている。一方、横軸１３２において左側の位置ほど、表題文字部品のデザイン属性において「ウォーム（Ｗａｒｍ）」の指標値が大きくなっている。従って、表題文字用マップ１３０において左側の位置ほど、「ウォーム（Ｗａｒｍ）」感が強く感じられるデザイン属性を示す表題文字デザイン属性情報が対応付けられている。また、縦軸１３４において上側の位置ほど、表題文字部品のデザイン属性において「ソフト（Ｓｏｆｔ）」の指標値が大きくなっている。従って、表題文字用マップ１３０において上側の位置ほど、「ソフト（Ｓｏｆｔ）」感が強く感じられるデザイン属性を示す表題文字デザイン属性情報が対応付けられている。一方、縦軸１３４において下側の位置ほど、表題文字部品のデザイン属性において「ハード（Ｈａｒｄ）」の指標値が大きくなっている。従って、表題文字用マップ１３０において下側の位置ほど、「ハード（Ｈａｒｄ）」感が強く感じられるデザイン属性を示す表題文字デザイン属性情報が対応付けられている。
【００５４】
表題文字部品のデザイン属性は、例えば文字のフォントの種類であり、表題文字デザイン属性情報はフォントを示す情報である。フォントの種類としては、例えば、「楷書体」、「隷書体」、「丸ゴシック」、「角ゴシック」、「明朝」、「ポップ」等がある。これらは一例であり、他のフォントが用いられてもよい。各フォントは、横軸１３２及び縦軸１３４によって規定される指標に従い、デザイン属性に基づいて予め分類されている。
【００５５】
例えば、「楷書体」は、指標「ソフト（Ｓｏｆｔ）」の値が大きく、指標「ウォーム（Ｗａｒｍ）」の値が大きい位置に分類されている。つまり、「楷書体」を示す表題文字デザイン属性情報が、表題文字用マップ１３０上において、指標「ソフト（Ｓｏｆｔ）」の値が大きく、指標「ウォーム（Ｗａｒｍ）」の値が大きい位置に予め対応付けられている。他のフォントについても同様に、表題文字デザイン属性情報が、デザイン属性に対応する位置に予め対応付けられている。
【００５６】
文字用マップ記憶部１８には、表題文字用マップ１３０上の各位置を示す各位置情報と、フォントの各種類を示す各表題文字デザイン属性情報とが対応付けられて記憶されている。
【００５７】
そして、表題文字用マップ１３０上の位置が指定されると、制御部２４は、指定された位置に対応する表題文字デザイン属性情報を文字用マップ記憶部１８から取得し、その表題文字デザイン属性情報を用いて表題の文字部品１０２のデザイン（フォント）を変更する。例えば、「楷書体」の表題文字デザイン属性情報が対応付けられている位置が指定されると、制御部２４は、指定された位置に対応する「楷書体」を示す表題文字デザイン属性情報を文字用マップ記憶部１８から取得する。そして、制御部２４は、表題の文字部品１０２のフォントを「楷書体」に変更する。
【００５８】
図５に、本文文字用マップの一例を示す。本文文字用マップ１４０は、一例として、２次元の軸で規定される２次元マップである。この軸は、図３に示すテンプレート用マップ１２０のデザイン指標軸と同じデザイン指標軸である。つまり、本文文字部品のデザイン属性（テイスト）は、テンプレート用マップ１２０と同様に、第１のデザイン指標軸（横軸１４２）と第２のデザイン指標軸（縦軸１４４）とによって規定されている。そして、テンプレート用マップ１２０と同様に、横軸１４２が、デザイン属性の指標「ウォーム（Ｗａｒｍ）」及び「クール（Ｃｏｏｌ）」を規定するデザイン指標軸であり、縦軸１４４が、デザイン属性の指標「ハード（Ｈａｒｄ）」及び「ソフト（Ｓｏｆｔ）」を規定するデザイン指標軸である。このように横軸１４２及び縦軸１４４によって規定された各領域に、本文文字部品のデザイン属性が対応付けられている。つまり、２次元の本文文字用マップ１４０の各位置（各座標）に本文文字デザイン属性情報が予め対応付けられており、本文文字用マップ１４０上の各位置に本文文字デザイン属性情報が配置されている。例えば、横軸１４２において右側の位置ほど、本文文字部品のデザイン属性において「クール（Ｃｏｏｌ）」の指標値が大きくなっている。従って、本文文字用マップ１４０において右側の位置ほど、「クール（Ｃｏｏｌ）」感が強く感じられるデザイン属性を示す本文文字デザイン属性情報が対応付けられている。一方、横軸１４２において左側の位置ほど、本文文字部品のデザイン属性において「ウォーム（Ｗａｒｍ）」の指標値が大きくなっている。従って、本文文字用マップ１４０において左側の位置ほど、「ウォーム（Ｗａｒｍ）」感が強く感じられるデザイン属性を示す本文文字デザイン属性情報が対応付けられている。また、縦軸１４４において上側の位置ほど、本文文字部品のデザイン属性において「ソフト（Ｓｏｆｔ）」の指標値が大きくなっている。従って、本文文字用マップ１４０において上側の位置ほど、「ソフト（Ｓｏｆｔ）」感が強く感じられるデザイン属性を示す本文文字デザイン属性情報が対応付けられている。一方、縦軸１４４において下側の位置ほど、本文文字部品のデザイン属性において「ハード（Ｈａｒｄ）」の指標値が大きくなっている。従って、本文文字用マップ１４０において下側の位置ほど、「ハード（Ｈａｒｄ）」感が強く感じられるデザイン属性を示す本文文字デザイン属性情報が対応付けられている。
【００５９】
本文文字部品のデザイン属性は、例えば文字のフォントの種類であり、本文文字デザイン属性情報はフォントを示す情報である。フォントの種類としては、例えば、「丸ゴシック」、「角ゴシック」、「明朝」、「明朝イタリック」等がある。これらは一例であり、他のフォントが用いられてもよい。各フォントは、横軸１４２及び縦軸１４４によって規定される指標に従い、デザイン属性に基づいて予め分類されている。なお、本文文字用マップ１４０は、表題文字用マップ１３０と同じマップであってもよいし、異なるマップであってもよい。つまり、本文文字用マップ１４０に含まれるフォントの種類及び分類は、表題文字用マップ１３０に含まれるフォントの種類及び分類と同じであってもよいし、異なっていてもよい。
【００６０】
例えば、「丸ゴシック（Ｂｏｌｄ）」は、指標「ハード（Ｈａｒｄ）」の値が小さく、指標「ウォーム（Ｗａｒｍ）」の値が大きい位置に分類されている。つまり、「丸ゴシック（Ｂｏｌｄ）」を示す本文文字デザイン属性情報が、本文文字用マップ１４０上において、指標「ハード（Ｈａｒｄ）」の値が小さく、指標「ウォーム（Ｗａｒｍ）」の値が大きい位置に予め対応付けられている。他のフォントについても同様に、本文文字デザイン属性情報が、デザイン属性に対応する位置に予め対応付けられている。
【００６１】
文字用マップ記憶部１８には、本文文字用マップ１４０上の各位置を示す各位置情報と、フォントの各種類を示す各本文文字デザイン属性情報とが対応付けられて記憶されている。
【００６２】
そして、本文文字用マップ１４０上の位置が指定されると、制御部２４は、指定された位置に対応する本文文字デザイン属性情報を文字用マップ記憶部１８から取得し、その本文文字デザイン属性情報を用いて本文の文字部品１０４のデザイン（フォント）を変更する。例えば、「丸ゴシック（Ｂｏｌｄ）」の本文文字デザイン属性情報が対応付けられている位置が指定されると、制御部２４は、指定された位置に対応する「丸ゴシック（Ｂｏｌｄ）」を示す本文文字デザインを文字用マップ記憶部１８から取得する。そして、制御部２４は、本文の文字部品１０４のフォントを「丸ゴシック（Ｂｏｌｄ）」に変更する。
【００６３】
図６に、画像用マップの一例を示す。画像用マップ１５０は、一例として、２次元の軸で規定される２次元マップである。この軸は、図３に示すテンプレート用マップ１２０のデザイン指標軸と同じデザイン指標軸である。つまり、画像部品のデザイン属性（テイスト）は、テンプレート用マップ１２０と同様に、第１のデザイン指標軸（横軸１５２）と第２のデザイン指標軸（縦軸１５４）とによって規定されている。そして、テンプレート用マップ１２０と同様に、横軸１５２が、デザイン属性の指標「ウォーム（Ｗａｒｍ）」及び「クール（Ｃｏｏｌ）」を規定するデザイン指標軸であり、縦軸１５４が、デザイン属性の指標「ハード（Ｈａｒｄ）」及び「ソフト（Ｓｏｆｔ）」を規定するデザイン指標軸である。このように横軸１５２及び縦軸１５４によって規定された各領域に、画像部品のデザイン属性が対応付けられている。つまり、２次元の画像用マップ１５０の各位置（各座標）に画像デザイン属性情報が予め対応付けられており、画像用マップ１５０上の各位置に画像デザイン属性情報が配置されている。例えば、横軸１５２において右側の位置ほど、画像部品のデザイン属性において「クール（Ｃｏｏｌ）」の指標値が大きくなっている。従って、画像用マップ１５０において右側の位置ほど、「クール（Ｃｏｏｌ）」感が強く感じられるデザイン属性を示す画像デザイン属性情報が対応付けられている。一方、横軸１５２において左側の位置ほど、画像部品のデザイン属性において「ウォーム（Ｗａｒｍ）」の指標値が大きくなっている。従って、画像用マップ１５０において左側の位置ほど、「ウォーム（Ｗａｒｍ）」感が強く感じられるデザイン属性を示す画像デザイン属性情報が対応付けられている。また、縦軸１５４において上側の位置ほど、画像部品のデザイン属性において「ソフト（Ｓｏｆｔ）」の指標値が大きくなっている。従って、画像用マップ１５０において上側の位置ほど、「ソフト（Ｓｏｆｔ）」感が強く感じられるデザイン属性を示す画像デザイン属性情報が対応付けられている。一方、縦軸１５４において下側の位置ほど、画像部品のデザイン属性において「ハード（Ｈａｒｄ）」の指標値が大きくなっている。従って、画像用マップ１５０において下側の位置ほど、「ハード（Ｈａｒｄ）」感が強く感じられるデザイン属性を示す画像デザイン属性情報が対応付けられている。
【００６４】
画像部品のデザイン属性は、例えば画像のバリエーションであり、画像デザイン属性情報は、画像のバリエーションを示す情報である。本実施形態では、画像デザイン属性情報は、一例として画像データである。例えば、テンプレートごとに、画像に表された対象物の種類、デザイン、配置位置、アングル及びサイズ等のデザインが異なる複数の画像データ（画像デザイン属性情報）が予め用意されている。具体例を挙げて説明すると、画像に表された対象物がコーヒーカップやティーカップ等のカップの場合、カップの種類、デザイン、配置位置、アングル及びサイズ等のデザインが異なる複数の画像データが予め用意されている。
【００６５】
図６に示す例では、あるテンプレートの画像部品のデザイン属性（バリエーション）として、画像Ａ〜Ｇが予め作成されて用意されている。画像Ａ〜Ｇは、横軸１５２及び縦軸１５４によって規定される指標に従い、デザイン属性に基づいて予め分類されている。画像Ａ〜Ｇは、同じ種類のテンプレートの画像部品に属するが、互いにデザインが異なっている。例えば、画像に表されている対象物がカップの場合、そのカップの種類、デザイン、配置位置、アングル及びサイズ等のデザインが、画像Ａ〜Ｇによって異なっている。
【００６６】
例えば、画像Ｂは、指標「ソフト（Ｓｏｆｔ）」の値が小さく、指標「ウォーム（Ｗａｒｍ）」の値が中程度の位置に分類されている。つまり、画像Ｂを示す画像デザイン属性情報（画像データ）が、画像用マップ１５０上において、指標「ソフト（Ｓｏｆｔ）」の値が小さく、指標「ウォーム（Ｗａｒｍ）」の値が中程度の位置に予め対応付けられている。他の画像について同様に、デザイン属性に対応する位置に予め対応付けられている。
【００６７】
画像用マップ記憶部２０には、画像用マップ１５０上の各位置を示す各位置情報と、画像Ａ〜Ｇを示す各画像デザイン属性情報（画像データ）とが対応付けられて記憶されている。
【００６８】
そして、画像用マップ１５０上の位置が指定されると、制御部２４は、指定された位置に対応する画像デザイン属性情報（画像データ）を画像用マップ記憶部２０から取得し、その画像デザイン属性情報（画像データ）を用いて画像部品１０６のデザイン（画像）を変更する。例えば、「画像Ｂ」の画像デザイン属性情報が対応付けられている位置が指定されると、制御部２４は、指定された位置に対応する「画像Ｂ」を示す画像デザイン属性情報（画像データ）を画像用マップ記憶部２０から取得する。そして、制御部２４は、画像部品１０６の画像を「画像Ｂ」に変更する。なお、図６に示す画像Ａ〜Ｇは一例であり、他の画像が予め作成されて画像用マップ１５０上の位置に対応付けられていてもよい。
【００６９】
図６に示す画像用マップ１５０は、画像用マップ記憶部２０に予め記憶されている。個々のテンプレートの画像部品ごとに画像用マップ１５０と同様のマップが予め用意されており、画像用マップ記憶部２０に予め記憶されている。
【００７０】
図７に、図形色用マップ１６０の一例を示す。図形色用マップ１６０は、一例として、２次元の軸で規定される２次元マップである。この軸は、図３に示すテンプレート用マップ１２０のデザイン指標軸と同じデザイン指標軸である。つまり、図形部品の色のデザイン属性（テイスト）は、テンプレート用マップ１２０と同様に、第１のデザイン指標軸（横軸１６２）と第２のデザイン指標軸（縦軸１６４）とによって規定されている。そして、テンプレート用マップ１２０と同様に、横軸１６２が、デザイン属性の指標「ウォーム（Ｗａｒｍ）」及び「クール（Ｃｏｏｌ）」を規定するデザイン指標軸であり、縦軸１６４が、デザイン属性の指標「ハード（Ｈａｒｄ）」及び「ソフト（Ｓｏｆｔ）」を規定するデザイン指標軸である。このように横軸１６２及び縦軸１６４によって規定された各領域に、図形部分の色のデザイン属性が対応付けられている。つまり、２次元の図形色用マップ１６０の各位置（各座標）に図形色デザイン属性情報が予め対応付けられており、図形色用マップ１６０上の各位置に図形色デザイン属性情報が配置されている。例えば、横軸１６２において右側の位置ほど、図形部品の色のデザイン属性において「クール（Ｃｏｏｌ）」の指標値が大きくなっている。従って、図形色用マップ１６０において右側の位置ほど、「クール（Ｃｏｏｌ）」感が強く感じられるデザイン属性を示す図形色デザイン属性情報が対応付けられている。一方、横軸１６２において左側の位置ほど、図形部品の色のデザイン属性において「ウォーム（Ｗａｒｍ）」の指標値が大きくなっている。従って、図形色用マップ１６０において左側の位置ほど、「ウォーム（Ｗａｒｍ）」感が強く感じられるデザイン属性を示す図形色デザイン属性情報が対応付けられている。また、縦軸１６４において上側の位置ほど、図形部品の色のデザイン属性において「ソフト（Ｓｏｆｔ）」の指標値が大きくなっている。従って、図形色用マップ１６０において上側の位置ほど、「ソフト（Ｓｏｆｔ）」感が強く感じられるデザイン属性を示す図形色デザイン属性情報が対応付けられている。一方、縦軸１６４において下側の位置ほど、図形部品の色のデザイン属性において「ハード（Ｈａｒｄ）」の指標値が大きくなっている。従って、図形色用マップ１６０において下側の位置ほど、「ハード（Ｈａｒｄ）」感が強く感じられるデザイン属性を示す図形色デザイン属性情報が対応付けられている。
【００７１】
図形部品の色のデザイン属性は、図形部分の色の種類であり、図形色デザイン属性情報は色を示す情報である。各色は、横軸１６２及び縦軸１６４によって規定される指標に従い、デザイン属性に応じて予め分類されている。図７に示す例では、色のデザイン属性（バリエーション）として、カラーＡ〜Ｅが予め用意されている。カラーＡ〜Ｅは、横軸１６２及び縦軸１６４によって規定される指標に従い、色の種類（デザイン属性）に基づいて予め分類されている。
【００７２】
例えば、カラーＡは、指標「ソフト（Ｓｏｆｔ）」の値が大きく、指標「ウォーム（Ｗａｒｍ）」の値が大きい位置に分類されている。つまり、カラーＡを示す図形色デザイン属性情報が、図形色用マップ１６０上において、指標「ソフト（Ｓｏｆｔ）」の値が大きく、指標「ウォーム（Ｗａｒｍ）」の値が大きい位置に予め対応付けられている。他のカラーＢ〜Ｅについても、図形色デザイン属性情報が、デザイン属性に対応する位置に予め対応付けられている。
【００７３】
図形用マップ記憶部２２には、図形用色マップ１６０上の各位置を示す各位置情報と、色の各種類を示す各図形色デザイン属性情報とが対応付けられて記憶されている。
【００７４】
そして、図形色マップ１６０上の位置が指定されると、制御部２４は、指定された位置に対応する図形色デザイン属性情報を図形用マップ記憶部２２から取得し、その図形色デザイン属性情報を用いて図形部分１０８のデザイン（色）を変更する。例えば、「カラーＡ」の図形色デザイン属性情報が対応付けられている位置が指定されると、制御部２４は、指定された位置に対応する「カラーＡ」を示す図形色デザイン属性情報を図形用マップ記憶部２２から取得する。そして、制御部２４は、図形部分１０８の色を「カラーＡ」に変更する。なお、図７に示すカラーＡ〜Ｅは一例であり、他のカラーを示す図形色デザイン属性情報が図形色用マップ１６０上の位置に対応付けられていてもよい。
【００７５】
図８に、図形影用マップ１７０の一例を示す。図形影用マップ１７０は、一例として、２次元の軸で規定される２次元マップである。この軸は、図３に示すテンプレート用マップ１２０のデザイン指標軸と同じデザイン指標軸である。つまり、図形部品の影（透過度）のデザイン属性（テイスト）は、テンプレート用マップ１２０と同様に、第１のデザイン指標軸（横軸１７２）と第２のデザイン指標軸（縦軸１７４）とによって規定されている。そして、テンプレート用マップ１２０と同様に、横軸１７２が、デザイン属性の指標「ウォーム（Ｗａｒｍ）」及び「クール（Ｃｏｏｌ）」を規定するデザイン指標軸であり、縦軸１７４が、デザイン属性の指標「ハード（Ｈａｒｄ）」及び「ソフト（Ｓｏｆｔ）」を規定するデザイン指標軸である。このように横軸１７２及び縦軸１７４によって規定された各領域に、図形部分の影（透過度）のデザイン属性が対応付けられている。つまり、２次元の図形影用マップ１７０の各位置（各座標）に図形影デザイン属性情報が予め対応付けられており、図形影用マップ１７０上の各位置に図形影デザイン属性情報が配置されている。例えば、横軸１７２において右側の位置ほど、図形部品の影のデザイン属性において「クール（Ｃｏｏｌ）」の指標値が大きくなっている。従って、図形影用マップ１７０において右側の位置ほど、「クール（Ｃｏｏｌ）」感が強く感じられるデザイン属性を示す図形影デザイン属性情報が対応付けられている。一方、横軸１７２において左側の位置ほど、図形部品の影のデザイン属性において「ウォーム（Ｗａｒｍ）」の指標値が大きくなっている。従って、図形影用マップ１７０において左側の位置ほど、「ウォーム（Ｗａｒｍ）」感が強く感じられるデザイン属性を示す図形影デザイン属性情報が対応付けられている。また、縦軸１７４において上側の位置ほど、図形部品の影のデザイン属性において「ソフト（Ｓｏｆｔ）」の指標値が大きくなっている。従って、図形影用マップ１７０において上側の位置ほど、「ソフト（Ｓｏｆｔ）」感が強く感じられるデザイン属性を示す図形影デザイン属性情報が対応付けられている。一方、縦軸１７４において下側の位置ほど、図形部品の影のデザイン属性において「ハード（Ｈａｒｄ）」の指標値が大きくなっている。従って、図形影用マップ１７０において下側の位置ほど、「ハード（Ｈａｒｄ）」感が強く感じられるデザイン属性を示す図形影デザイン属性情報が対応付けられている。
【００７６】
図形部品の影のデザイン属性は、図形部分の透過度（透過率）であり、図形影デザイン属性情報は透過度を示す情報である。各透過度は、横軸１７２及び縦軸１７４によって規定される指標に従い、デザイン属性に基づいて予め分類されている。図８に示す例では、影のデザイン属性（バリエーション）として、影あり（透過度：７０％）、影あり（透過度：３０％）及び影なしの属性が予め用意されている。
【００７７】
例えば、「影あり（透過度：７０％）」を示す図形影デザイン属性情報は、指標「ウォーム（Ｗａｒｍ）」の値が中程度の領域において、指標「ソフト（Ｓｏｆｔ）」の最大値の位置から「ハード（Ｈａｒｄ）」の値が小さい位置までの領域に、予め対応付けられている。他の図形影デザイン属性情報についても、デザイン属性に対応する位置に予め対応付けられている。
【００７８】
図形用マップ記憶部２２には、図形用影マップ１７０上の各位置を示す各位置情報と、図形の各透過度を示す各図形影デザイン属性情報とが対応付けられて記憶されている。
【００７９】
そして、図形影用マップ１７０上の位置が指定されると、制御部２４は、指定された位置に対応する図形影デザイン属性情報を図形用マップ記憶部２２から取得し、その図形影デザイン属性情報を用いて図形部分１０８のデザイン（透過度）を変更する。例えば、「影あり（透過度：７０％）」の図形影デザイン属性情報が対応付けられている位置が指定されると、制御部２４は、指定された位置に対応する「影あり（透過度：７０％）」を示す図形影デザイン属性情報を図形用マップ記憶部２２から取得する。そして、制御部２４は、図形部分１０８の透過度を「７０％」に変更する。なお、図８に示す影の程度（透過度）は一例であり、他の透過度を示す図形影デザイン属性情報が図形影用マップ１７０上の位置に対応付けられていてもよい。
【００８０】
次に、図９から図１４を参照して、デザイン編集装置１０の動作について説明する。図９は、デザイン編集装置１０の動作を示すフローチャートである。まず、ユーザが操作部２８を使用してデザイン編集モードの実行を指示すると、制御部２４は、テンプレート記憶部１４から複数のテンプレートを取得し、テンプレートのリストを表示部２６に表示させる（Ｓ０１）。これにより、例えば図１０に示すように、互いにデザインが異なるテンプレート１００〜７００が表示部２６に表示される。
【００８１】
そして、ユーザが操作部２８を使用してテンプレート１００〜７００の中からテンプレートを選択する（Ｓ０２）。例えば、ユーザは、目的のデザインの基礎となるテンプレートを選択すればよい。
【００８２】
ユーザによってテンプレートが選択されると、制御部２４は、選択されたテンプレートのテンプレートＩＤが対応付けられているテンプレート用マップをテンプレート用マップ記憶部１６から取得し、そのテンプレート用マップを表示部２６に表示させる（Ｓ０３）。また、制御部２４は、ユーザによって選択されたテンプレートも表示部２６に表示させる。ここでは、図１０に示すテンプレート１００がユーザによって選択されたものとする。これにより、例えば図１１に示すように、テンプレート１００のためのテンプレート用マップ１２０と、テンプレート１００のバリエーション１００Ａと、が表示部２６に表示される。一例として、バリエーション１００Ａがデフォルトのバリエーションとして設定されており、テンプレート１００がユーザによって選択された場合に、最初にバリエーション１００Ａが表示部２６に表示される。また、テンプレート用マップ１２０に含まれるバリエーション１００Ａ〜１００Ｄの図形も、テンプレート用マップ１２０上に表示される。なお、テンプレート用マップは、テンプレート１００〜７００のそれぞれについて予め用意されてテンプレート用マップ記憶部１６に記憶されている。
【００８３】
そして、テンプレート１００の全体のデザインをバリエーション１００Ａから他のバリエーションに変更する場合、ユーザは操作部２８を使用してテンプレート用マップ１２０上の位置を指定する。これにより、テンプレート１００のデザイン属性（バリエーション）が選択される（Ｓ０４）。例えば、テンプレート１００のデザインを、「ソフト（Ｓｏｆｔ）」の程度が中程度で、「ウォーム（Ｗａｒｍ）」の程度が中程度のデザインに変更したい場合、ユーザは操作部２８を使用して、テンプレート用マップ１２０上において、そのデザインに対応する位置を指定すればよい。そのデザインに対応する位置のデザイン属性は、テンプレート用マップ１２０においてはデザイン属性「ポップ／カジュアル」に相当し、その位置にはバリエーション１００Ｄが対応付けられている。例えば、テンプレート用マップ１２０上においてバリエーション１００Ｄが対応付けられている位置が、ユーザによって指定されると、制御部２４は、指定された位置に対応するテンプレートデザイン属性情報（バリエーション１００Ｄを示す情報）をテンプレート用マップ記憶部１６から取得する。そして、制御部２４は、そのテンプレートデザイン属性情報に基づいて、表示部２６に表示されているテンプレート１００の全体のデザインを、図１２に示すように、バリエーション１００Ａからバリエーション１００Ｄに変更する（Ｓ０５）。
【００８４】
さらに、テンプレート１００を構成するデザイン部品のデザインを変更する場合（Ｓ０６，Ｙｅｓ）、ユーザは操作部２８を使用して、表示部２６に表示されているバリエーション１００Ｄの中から変更対象のデザイン部品を指定する。一方、デザイン部品のデザインを変更しない場合（Ｓ０６，Ｎｏ）、ユーザは操作部２８を用いてデザイン編集モードの終了を指示する。デザイン編集モードが終了すると、ユーザによって編集されたテンプレート１００のデータは、例えば編集情報記憶部１２に記憶される。または、そのデータは、ユーザの端末装置に送信されるようにしてもよい。
【００８５】
デザイン部品のデザインを変更する場合（Ｓ０６，Ｙｅｓ）、制御部２４は、バリエーション１００Ｄにおいてユーザによって指定された位置に対応するデザイン部品のデザイン属性マップを表示部２６に表示させる（Ｓ０７）。例えば、バリエーション１００Ｄにおいて表題の文字部品１０２がユーザによって指定されると、図１３に示すように、制御部２４は、指定された位置に対応する表題文字用マップ１３０を文字用マップ記憶部１８から取得し、テンプレート用マップ１２０に代えて、表題文字用マップ１３０を表示部２６に表示させる。また、表題文字用マップ１３０に含まれる各フォントを示す文字列も、表題文字用マップ１３０上に表示される。
【００８６】
そして、表題の文字部品１０２のデザイン（フォント）を変更する場合、ユーザは操作部２８を使用して表題文字用マップ１３０上の位置を指定する。これにより、表題の文字部品１０２のデザイン属性（フォント）が選択される（Ｓ０８）。例えば、表題のフォントを、「クール（Ｃｏｏｌ）」の程度が強く、「ハード（Ｈａｒｄ）」の程度が弱いフォントに変更したい場合、ユーザは、表題文字用マップ１３０上において、そのフォントに対応する位置を指定すればよい。表題文字用マップ１３０においては、そのフォントは「ポップ」に相当する。例えば、表題文字用マップ１３０上においてフォント「ポップ」が対応付けられている位置が、ユーザによって指定されると、制御部２４は、指定された位置に対応する表題文字デザイン属性情報（フォント「ポップ」を示す情報）を文字用マップ記憶部１８から取得する。そして、制御部２４は、その表題文字デザイン属性情報に基づいて、表示部２６に表示されているバリエーション１００Ｄの表題の文字部品１０２のフォントを、「ポップ」に変更する（Ｓ０９）。
【００８７】
そして、処理はステップＳ０６に戻り、ユーザによってデザイン編集モードの終了が指示されるまで、ステップＳ０６〜Ｓ０９の処理が繰り返し実行される。
【００８８】
例えば、ユーザが操作部２８を使用して、バリエーション１００Ｄ上の本文の文字部品１０４を指定すると、制御部２４は、図５に示す本文文字用マップ１４０を文字用マップ記憶部１８から取得する。そして、制御部２４は、表題文字用マップ１３０に代えて本文文字用マップ１４０を表示部２６に表示させる。このとき、本文文字用マップ１４０に含まれる各フォントを示す文字列も、本文文字用マップ１４０上に表示される。そして、ユーザが操作部２８を使用して本文文字用マップ１４０上の位置を指定すると、制御部２４は、指定された位置に対応する本文文字デザイン属性情報（フォントを示す情報）を文字用マップ記憶部１８から取得する。そして、制御部２４は、その本文文字デザイン属性情報に基づいて、表示部２６に表示されているバリエーション１００Ｄの本文の文字部品１０４のフォントを、取得した本文文字デザイン属性情報が示すフォントに変更する。
【００８９】
また、ユーザが操作部２８を使用して、バリエーション１００Ｄ上の画像部品１０６を指定すると、制御部２４は、テンプレート１００のテンプレートＩＤが対応付けられている画像用マップ１５０（図６参照）を画像用マップ記憶部２０から取得する。そして、制御部２４は、表題文字用マップ１３０に代えて画像用マップ１５０を表示部２６に表示させる。つまり、制御部２４は、テンプレート１００用の画像用マップ１５０を画像用マップ記憶部２０から取得して表示部２６に表示させる。このとき、画像用マップ１５０に含まれる画像Ａ〜Ｇも、画像用マップ１５０上において表示される。そして、ユーザが操作部２８を使用して画像用マップ１５０上の位置を指定すると、制御部２４は、指定された位置に対応する画像デザイン属性情報（画像データ）を画像用マップ記憶部２０から取得し、画像部品１０６の画像を、取得した画像データに変更する。
【００９０】
なお、画像用マップは、図１０に示すテンプレート１００〜７００のそれぞれについて予め用意されて画像用マップ記憶部２０に記憶されている。
【００９１】
また、ユーザが操作部２８を使用して、バリエーション１００Ｄ上の図形部品１０８を指定し、更に、図形部品１０８の色の変更を指示すると、制御部２４は、図７に示す図形色用マップ１６０を図形用マップ記憶部２２から取得する。そして、制御部２４は、表題文字用マップ１３０に代えて図形色用マップ１６０を表示部２６に表示させる。このとき、図形色用マップ１６０に含まれる各色も、図形色用マップ１６０上に表示される。そして、ユーザが操作部２８を使用して図形色用マップ１６０上の位置を指定すると、制御部２４は、指定された位置に対応する図形色デザイン属性情報（色を示す情報）を図形用マップ記憶部２２から取得する。そして、制御部２４は、その図形色デザイン属性情報に基づいて、表示部２６に表示されているバリエーション１００Ｄの図形部品１０８の色を、取得した図形色デザイン属性情報が示す色に変更する。
【００９２】
また、ユーザが操作部２８を使用して、バリエーション１００Ｄ上の図形部品１０８を指定し、更に、図形部品１０８の影の変更（透過度の変更）を指示すると、制御部２４は、図８に示す図形影用マップ１７０を図形用マップ記憶部２２から取得する。そして、制御部２４は、表題文字用マップ１３０に代えて図形影用マップ１７０を表示部２６に表示させる。このとき、図形影用マップ１７０に含まれる各透過度の値も、図形影用マップ１７０上に表示される。そして、ユーザが操作部２８を使用して図形影用マップ１７０上の位置を指定すると、制御部２４は、指定された位置に対応する図形影デザイン属性情報（透過度を示す情報）を図形用マップ記憶部２２から取得する。そして、制御部２４は、その図形影デザイン属性情報に基づいて、表示部２６に表示されているバリエーション１００Ｄの図形部品１０８の透過度を、取得した図形影デザイン属性情報が示す透過度に変更する。
【００９３】
また、ユーザが操作部２８を使用して、テンプレートのリスト表示（Ｓ０１）、又は、テンプレート用マップの表示（Ｓ０３）を指示した場合、制御部２４は、その指示に応じて、ステップＳ０１の処理又はステップＳ０３の処理を実行してもよい。
【００９４】
図１４に、デザイン編集後のテンプレートを示す。図１４に示されているテンプレートは、バリエーション１００Ｄを基礎にして、表題の文字部品１０２のフォントが「ポップ」に変更されたものである。このテンプレートのデータは、編集情報記憶部１２に記憶されてもよいし、ユーザの端末装置に送信されるようにしてもよい。
【００９５】
以上のように、テンプレート用マップ１２０を用いることにより、テンプレート１００の全体のデザイン属性が図示化されて表示されるので、テンプレート用マップ１２０を用いない場合と比べて、テンプレート１００の全体のデザインの変更が容易となる。同様に、デザイン部品ごとのデザイン属性マップを用いることにより、各デザイン部品のデザイン属性が図示化されて表示されるので、デザイン属性マップを用いない場合と比べて、個々のデザイン部品のデザインの変更が容易となる。また、デザイン属性が図示化されるので、直感的にデザインを変更し得る。
【００９６】
また、本実施形態では、テンプレート用マップ１２０及びデザイン部品ごとのデザイン属性マップにおいて、同じマッピング条件、すなわち同じデザイン指標（「ウォーム」−「クール」、「ハード」−「ソフト」）に従って、デザイン属性情報がマッピングされている。これにより、テンプレート用マップ１２０及びデザイン部品ごとのデザイン属性マップにおいて、デザインの傾向が容易に把握され得る。本実施形態に係るデザイン属性マップを利用することにより、テンプレート１００の全体のデザイン、及び、各デザイン部品のデザインを、同じ傾向のデザイン（例えば、「ソフト」で「クール」なデザイン）に揃えることが容易となる。それとは逆に、テンプレート１００の全体のデザイン、及び、各デザイン部品のデザインを、それぞれ異なるデザインにすることも容易である。例えば、テンプレート１００の全体のデザインを「ソフト」で「クール」なデザインにし、個々のデザイン部品のデザインを、そのデザインとは異なるデザインにすることも容易である。つまり、本実施形態に係る各デザイン属性マップにおいては、デザイン指標が統一されているため、デザインの傾向の把握が容易となり、ユーザの要望に応じたデザイン属性の選択が容易となる。
【００９７】
以上のように、本実施形態に係るデザイン属性マップを利用することにより、デザインの選択の幅が広がり、ユーザの要望に応じたデザインの作成が容易となる。
【００９８】
なお、デザイン属性マップ上でユーザによって指定された位置に対応するデザイン属性情報が存在しない場合、制御部２４は、デザイン属性マップ上で指定された位置の周辺位置の複数のデザイン属性情報に基づいて、指定された位置に対応するデザイン属性情報を演算してもよい。つまり、補間処理を行うことにより、周辺位置の複数のデザイン属性情報に基づいて、指定された位置に対応するデザイン属性情報を演算してもよい。周辺位置とは、例えば、指定された位置に隣接する複数の位置である。指定された位置に隣接する上下左右の計４箇所の位置や、上下左右及び斜め方向の計８箇所の位置等が、周辺位置に該当する。例えば、デザイン属性情報を予め数値化しておく。この場合、制御部２４は、デザイン属性マップ上で指定された位置の周辺位置の複数のデザイン属性情報（数値）の平均値を演算する。制御部２４は、その平均値に対応するデザイン属性、又は、その平均値に近い値のデザイン属性を、指定された位置に対応するデザイン属性として採用する。これにより、指定された位置に対応するデザイン属性情報が存在しない場合であっても、そのデザイン属性情報が補間処理によって求められる。
【００９９】
例えば、図７に示す図形色マップ１６０上で指定された位置に対応する図形色デザイン属性情報が存在しない場合、制御部２４は、図形色マップ１６０上で指定された位置の周辺位置の複数の図形色デザイン属性情報に基づいて、指定された位置に対応する図形色デザイン属性情報を演算する。例えば、図形部分１０８の各色を予め数値化しておく。この場合、制御部２４は、図形色マップ１６０上で指定された位置の周辺位置の複数の図形色デザイン属性情報（色の数値）の平均値を演算する。制御部２４は、その平均値に対応する色、又は、その平均値に近い値の色を、指定された位置に対応する色として採用する。これにより、指定された位置に対応する図形色デザイン属性情報が存在しない場合であっても、その図形色デザイン属性情報が補間処理によって求められる。
【０１００】
次に、図１５を参照して、変形例に係るデザイン編集システムについて説明する。変形例に係るデザイン編集システムは、デザイン編集装置１０Ａと端末装置４０とを含む。デザイン編集装置１０Ａ及び端末装置４０は、ネットワーク等の通信経路Ｎに接続されている。
【０１０１】
デザイン編集装置１０Ａは、上述したデザイン編集装置１０の構成に加えて送受信部３０を備えている。送受信部３０は一例としてネットワークインターフェースである。送受信部３０は、端末装置４０との間でデータの送受信を行う機能を有する。
【０１０２】
端末装置４０は、パーソナルコンピュータ、タブレットＰＣ、スマートフォン、携帯電話等である。端末装置４０は、図示しない表示部、操作部、送受信部及び制御部を備えており、デザイン編集装置１０Ａとの間でデータの送受信を行う機能を有する。
【０１０３】
変形例に係るデザイン編集装置１０Ａは、端末装置４０の指示に応じてデザイン編集を行い、デザイン編集後のテンプレートを端末装置４０に送信する。以下、具体的な処理の流れについて説明する。
【０１０４】
例えば、ユーザが端末装置４０を使用してデザイン編集モードの実行を指示すると、制御部２４によって、複数のテンプレートのリストが作成され、そのリストのデータが、デザイン編集装置１０Ａから端末装置４０に送信される。端末装置４０では、例えば図１０に示すように、テンプレート１００〜７００が表示される。
【０１０５】
そして、ユーザが端末装置４０を使用してテンプレート１００〜７００の中からテンプレートを選択すると、選択されたテンプレートのテンプレート用マップが制御部２４によって取得され、そのテンプレート用マップが、デザイン編集装置１０Ａから端末装置４０に送信される。端末装置４０では、例えば図１１に示すように、テンプレート用マップ１２０と、選択されたテンプレート１００のバリエーション１００Ａと、が表示される。端末装置４０において、ユーザがテンプレート用マップ１２０上の位置を指定すると、指定された位置を示す位置情報が端末装置４０からデザイン編集装置１０Ａに送信される。そして、制御部２４によって、その位置に対応するテンプレートデザイン属性情報（バリエーションを示す情報）が取得され、そのテンプレートデザイン属性情報は、デザイン編集装置１０Ａから端末装置４０に送信される。これにより、端末装置４０に表示されているテンプレートのデザイン属性が変更される。例えば、ユーザによってバリエーション１００Ｄが選択されると、図１２に示すように、バリエーション１００Ｄが端末装置４０に表示される。
【０１０６】
さらに、デザイン部品のデザインを変更する場合、ユーザは、端末装置４０に表示されているテンプレートの中から変更対象のデザイン部品を指定する。これにより、テンプレートにおいて指定された位置を示す位置情報が、端末装置４０からデザイン編集装置１０Ａに送信される。制御部２４は、その位置情報が示す位置に対応するデザイン部品のデザイン属性マップを取得する。このデザイン属性マップは、デザイン編集装置１０Ａから端末装置４０に送信され、端末装置４０において表示される。例えば、ユーザによって表題の文字部品が指定されると、図４に示す表題文字用マップ１３０がデザイン編集装置１０Ａから端末装置４０に送信され、図１３に示すように、端末装置４０にて、表題文字用マップ１３０が表示される。
【０１０７】
そして、ユーザが、端末装置４０にて表示された表題文字用マップ１３０上の位置を指定すると、その位置を示す位置情報が端末装置４０からデザイン編集装置１０Ａに送信される。制御部２４は、指定された位置に対応する表題文字デザイン属性情報を文字用マップ記憶部１８から取得する。この表題文字デザイン属性情報はデザイン編集装置１０Ａから端末装置４０に送信される。これにより、端末装置４０に表示されているバリエーション１００Ｄの表題の文字部品１０２のフォントが変更される。
【０１０８】
ユーザが端末装置４０においてデザイン編集モードの終了を指示すると、その指示を示す情報がデザイン編集装置１０Ａに送信される。デザイン編集装置１０Ａは、編集後のテンプレートを端末装置４０に送信する。
【０１０９】
以上のように、変形例では、通信経路Ｎを介してデザインの編集が行われる。この変形例においても、上記の実施形態と同様に、デザインの選択の幅が広がり、ユーザの要望に応じたデザインの作成が容易となる。
【符号の説明】
【０１１０】
１０，１０Ａ  デザイン編集装置、１２  編集情報記憶部、１４  テンプレート記憶部、１６  テンプレート用マップ記憶部、１８  文字用マップ記憶部、２０  画像用マップ記憶部、２２  図形用マップ記憶部、２４  制御部、２６  表示部、２８  操作部、３０  送受信部、４０  端末装置。
【図１】
2015169958.tif 000003
【図２】
2015169958.tif 000004
【図３】
2015169958.tif 000005
【図４】
2015169958.tif 000006
【図５】
2015169958.tif 000007
【図６】
2015169958.tif 000008
【図７】
2015169958.tif 000009
【図８】
2015169958.tif 000010
【図９】
2015169958.tif 000011
【図１０】
2015169958.tif 000012
【図１１】
2015169958.tif 000013
【図１２】
2015169958.tif 000014
【図１３】
2015169958.tif 000015
【図１４】
2015169958.tif 000016
【図１５】
2015169958.tif 000017